(57)【特許請求の範囲】
【請求項１】
所定のパワーのレーザ光を照射することによって、情報記録媒体に記録情報を記録する記録手段と、
前記記録情報に関連する複数の再生特性のうち少なくとも一つに重み付けを付与する付与手段と、
前記重み付けが付与された少なくとも一つの再生特性が所定の第１基準を満たすパワーで前記記録情報を記録するように前記記録手段を制御する制御手段と
を備え、
前記付与手段は、前記複数の再生特性の夫々に対して、優先順位を付与し、
前記制御手段は、(i)前記第１の再生特性が前記第１基準を満たし、且つ前記複数の再生特性のうち前記第１の再生特性以外の他の再生特性が、前記第１基準よりも緩やかな第２基準を満たすパワーで前記記録情報を記録するように前記記録手段を制御し、(ii)前記他の再生特性が前記第２基準を満たすパワーで前記記録情報を記録するように前記記録手段を制御することができない場合、前記第１の再生特性の次に優先される第２の再生特性が前記第１基準を満たし、且つ前記複数の再生特性のうち前記第２の再生特性以外の他の再生特性が前記第２基準を満たすパワーで前記記録情報を記録するように前記記録手段を制御することを特徴とする情報記録装置。
【請求項２】
前記制御手段は、前記重み付けが付与された少なくとも一つの再生特性が前記第１基準を満たし、且つ前記複数の再生特性のうち前記重み付けが付与された少なくとも一つの再生特性以外の再生特性が、前記第１基準よりも緩やかな第２基準を満たすパワーで前記記録情報を記録するように前記記録手段を制御することを特徴とする請求項１に記載の情報記録装置。
【請求項３】
前記付与手段は、前記情報記録媒体の規格により前記複数の再生特性の夫々に対して定められる許容範囲に対する前記複数の再生特性の夫々のマージンが少ないか否かに応じて前記重み付けを付与することを特徴とする請求項１に記載の情報記録装置。
【請求項４】
前記付与手段は、複数種類の情報再生装置における前記情報記録媒体の再生互換性に応じて前記重み付けを付与することを特徴とする請求項１に記載の情報記録装置。
【請求項５】
前記付与手段は、前記情報記録媒体における追記性に応じて前記重み付けを付与することを特徴とする請求項１に記載の情報記録装置。
【請求項６】
前記付与手段は、前記情報記録媒体におけるランダムアクセス性に応じて前記重み付けを付与することを特徴とする請求項１に記載の情報記録装置。
【請求項７】
前記付与手段は、前記記録情報が記録される速度を示す記録速度に応じて前記重み付けを付与することを特徴とする請求項１に記載の情報記録装置。
【請求項８】
前記情報記録媒体は、前記記録情報が記録される複数の記録トラックを備えており、
前記付与手段は、前記複数の記録トラックのうち一の記録トラックに前記レーザ光が照射された場合における、該レーザ光が前記一の記録トラックに略隣接する他の記録トラックに与える影響を示すクロスライト値に応じて前記重み付けを付与することを特徴とする請求項１に記載の情報記録装置。
【請求項９】
前記重み付けが付与された少なくとも一つの再生特性が前記第１基準を満たすパワーで前記記録情報を記録することができない場合、前記記録情報を記録する際の記録条件を修正する修正手段を更に備えることを特徴とする請求項１に記載の情報記録装置。
【請求項１０】
前記レーザ光は、第１の振幅を有するトップパルス及び前記第１の振幅よりも小さい第２の振幅を有するミドルパルスを含んでおり、
前記修正手段は、前記記録条件として、少なくとも前記第２の振幅を修正することを特徴とする請求項９に記載の情報記録装置。
【請求項１１】
前記レーザ光は、複数のパルスを含んでおり、
前記修正手段は、前記記録条件として、前記複数のパルスのうちの少なくとも一つのパルスのパルス幅を修正することを特徴とする請求項９に記載の情報記録装置。
【請求項１２】
前記修正手段は、前記記録条件として、記録線速度及び記録密度の少なくとも一方を修正することを特徴とする請求項９に記載の情報記録装置。
【請求項１３】
前記複数の再生特性は、ジッタ値、アシンメトリ値、エラーレート値、クロスライト値、ＬＰＰ信号レベル値、ウォブル信号レベル値及びＣＡＰＡ信号レベル値の少なくとも一つを含むことを特徴とする請求項１に記載の情報記録装置。
【請求項１４】
前記記録手段は、前記記録情報を記録する際の基準記録速度と比較してＮ（但し、Ｎは、２以上の整数）倍速以上の記録速度で前記記録情報を記録することを特徴とする請求項１に記載の情報記録装置。
【請求項１５】
前記制御手段は、前記パワーと前記重み付けが付与された少なくとも一つの再生特性との相関関係を示す相関情報に基づいて、前記重み付けが付与された少なくとも一つの再生特性が所定の第１基準を満たすパワーで前記記録情報を記録するように前記記録手段を制御することを特徴とする請求項１に記載の情報記録装置。
【請求項１６】
前記制御手段は、前記パワーと前記複数の再生特性の夫々との相関関係を示す相関情報に基づいて、前記重み付けが付与された少なくとも一つの再生特性が所定の第１基準を満たすパワーで前記記録情報を記録するように前記記録手段を制御することを特徴とする請求項１に記載の情報記録装置。
【請求項１７】
前記記録手段を制御することで、前記パワーを変化させながら前記情報記録媒体に試し記録用の試し情報を記録し、且つ該試し情報を再生することで、前記相関情報を作成する作成手段を更に備えることを特徴とする請求項１５に記載の情報記録装置。
【請求項１８】
前記記録手段は、前記作成された相関情報を前記情報記録媒体に記録することを特徴とする請求項１７に記載の情報記録装置。
【請求項１９】
前記作成された相関情報を格納するための格納手段を更に備えることを特徴とする請求項１７に記載の情報記録装置。
【請求項２０】
所定のパワーのレーザ光を照射することによって、情報記録媒体に記録情報を記録する記録手段を備える情報記録装置における情報記録方法であって、
前記記録情報に関連する複数の再生特性のうち少なくとも一つに重み付けを付与する付与工程と、
前記重み付けが付与された少なくとも一つの再生特性が所定の第１基準を満たすパワーで前記記録情報を記録するように前記記録手段を制御する制御工程と
を備え、
前記付与工程は、前記複数の再生特性の夫々に対して、優先順位を付与し、
前記制御工程は、(i)前記第１の再生特性が前記第１基準を満たし、且つ前記複数の再生特性のうち前記第１の再生特性以外の他の再生特性が、前記第１基準よりも緩やかな第２基準を満たすパワーで前記記録情報を記録するように前記記録手段を制御し、(ii)前記他の再生特性が前記第２基準を満たすパワーで前記記録情報を記録するように前記記録手段を制御することができない場合、前記第１の再生特性の次に優先される第２の再生特性が前記第１基準を満たし、且つ前記複数の再生特性のうち前記第２の再生特性以外の他の再生特性が前記第２基準を満たすパワーで前記記録情報を記録するように前記記録手段を制御することを特徴とする情報記録方法。
【請求項２１】
請求項１に記載の情報記録装置に備えられたコンピュータを制御する記録制御用のコンピュータプログラムであって、該コンピュータを、前記記録手段、前記付与手段及び前記制御手段のうち少なくとも一部として機能させることを特徴とするコンピュータプログラム。
【発明の詳細な説明】
【技術分野】
【０００１】
本発明は、例えばＤＶＤレコーダ等の情報記録装置及び方法、並びにコンピュータをこのような情報記録装置として機能させるコンピュータプログラムの技術分野に属する。
【背景技術】
【０００２】
例えば、光ディスク等の情報記録媒体を記録する情報記録装置においては、光ディスクの種類、情報記録再生装置の種類及び記録速度等に応じて、ＯＰＣ（Optimum Power Control）処理により、最適パワーが設定される。即ち、パワーのキャリブレーション（較正）が行われる。これにより、適切な記録動作を実現できる。例えば、光ディスクが装填されて書き込みのコマンドが入力されると、順次段階的に光強度が切り換えられて試し書き用のデータがパワーキャリブレーションエリアに記録され、いわゆる試し書きの処理が実行される。その後、このようにして記録された試し書き用のデータが再生され、この再生結果が所定の評価基準により判定されて、最適パワーが設定される。この評価基準として、例えば特許文献１に示すようにアシンメトリに基づいて評価する手法や、或いは特許文献２に示すようにジッタ値に基づいて評価する手法等がある。【０００３】
一方で、これらの情報記録媒体に対してデータを記録するための記録速度は技術の進歩と共に増加しており、例えば２倍速の記録速度や４倍速の記録速度や８倍速の記録速度や１６倍速の記録速度等が実現されている。【０００４】
【特許文献１】特開第２００３−５９０４８号公報
【特許文献２】特開第２００２−３５２５１７号公報
【発明の開示】
【発明が解決しようとする課題】
【０００５】
しかしながら、このようにデータの記録速度が増加すると光ディスクの回転速度もそれに伴って増加するため、レーザ光が照射される条件が相対的に遅い記録速度の場合と比較して異なってくる。このため、相対的に速い記録速度の場合には、上述するような従来のＯＰＣを行ってパワーのキャリブレーションを行ったとしても、光ディスクに適切にデータを記録することができないという技術的な問題点を有している。【０００６】
本発明は、例えば上述した従来の問題点に鑑みなされたものであり、例えば光ディスク等の情報記録媒体に記録されるデータの再生特性を悪化させることなくデータの記録を行うことを可能とならしめる情報記録装置及び方法、並びにコンピュータをこのような情報記録装置として機能させるコンピュータプログラムを提供することを課題とする。
【課題を解決するための手段】
【０００７】
（情報記録装置）
上記課題を解決するために、本発明の情報記録装置は、所定のパワーのレーザ光を照射することによって、情報記録媒体に記録情報を記録する記録手段と、前記記録情報に関連する複数の再生特性のうち少なくとも一つに重み付けを付与する付与手段と、前記重み付けが付与された少なくとも一つの再生特性が所定の第１基準を満たすパワーで前記記録情報を記録するように前記記録手段を制御する制御手段とを備える。【０００８】
本発明の情報記録装置によれば、記録手段の動作により、情報記録媒体にレーザ光を照射することで記録情報を記録することができる。【０００９】
本発明では特に、付与手段の動作により、記録情報に関連する複数の再生特性（例えば、後述のアシンメトリ値や、エラーレート値や、ジッタ値等）のうち少なくとも一つに重み付けが付与される。そして、制御手段の動作により、重み付けが付与された少なくとも一つの再生特性が所定の第１基準を満たすようなパワーで記録情報を記録するように記録手段が制御される（即ち、パワーが制御される）。言い換えれば、複数の再生特性から、記録手段を制御するために優先的に考慮される少なくとも再生特性が選択される。該選択された再生特性は、本発明における「重み付けが付与された再生特性」に相当する。この重み付けの付与は、記録動作の都度行われるように構成してもよいし、或いは記録動作を開始する前に或いは工場出荷時に予め行われるように構成してもよい。また、「所定の第１基準」とは、あるパワーで記録された記録情報を再生した際の再生特性が最適な状態、概ね最適と同視できる状態ないしは好適な状態を実現できるような基準を示す。即ち、再生特性が所定の第１基準を満たすような記録情報は、好適な再生が担保される。この所定の第１基準は予め定められているものであってもよいし、或いは記録動作に応じて適宜設定するものであってもよい。【００１０】
これにより、可変なパワーを有するレーザ光を照射する情報記録装置において、好適なパワーで記録情報を記録することが可能となる。従って、本発明に係る情報記録装置によれば、好適な再生特性を実現可能な記録情報を記録することが可能となる。【００１１】
尚、従来の情報記録装置においては、記録される記録情報の再生特性は、ＯＰＣ（Optimum Power Control）等により検出された最適なパワーに委ねられている。特にＯＰＣ等にあっては再生特性として、一律にアシンメトリ値やジッタ値等が好適な状態となるように最適なパワーの検出がなされている。しかし、特に高速記録時には、再生情報のアシンメトリ値やジッタ値が良好となるようなパワーのレーザ光で記録した場合であっても、その他の再生特性（例えば、エラーレート値やクロスライト値等）が悪化してしまうおそれもあった。しかるに本発明に係る情報記録装置では、一律に（言い換えれば、固定的に）ある再生特性が好適な状態となるように記録手段を制御することに代えて、例えば情報記録装置の記録状態（或いは、記録条件）に応じて、記録手段を制御する際に重視される再生特性を選択し、該選択された再生特性が好適な状態となるように記録手段が制御される。従って、一律にある再生特性が好適な状態となるように記録手段を制御する情報記録装置と比較して、より好適なパワーで記録情報を記録することが可能となる。その結果、より好適な再生特性を実現可能な記録情報を記録することが可能となる。【００１２】
以上の結果、本発明に係る情報記録装置によれば、適切なパワーのレーザ光によって記録情報を記録することができる。それに伴って、記録される記録情報の再生特性をより向上させることが可能となる。【００１３】
本発明の情報記録装置の一の態様は、前記制御手段は、前記重み付けが付与された少なくとも一つの再生特性が前記第１基準を満たし、且つ前記複数の再生特性のうち前記重み付けが付与された少なくとも一つの再生特性以外の再生特性が、前記第１基準よりも緩やかな第２基準を満たすパワーで前記記録情報を記録するように前記記録手段を制御する。【００１４】
この態様によれば、重み付けが付与された再生特性のみならず、他の再生特性の向上をも十分に考慮して記録手段を制御することが可能となる。従って、情報記録媒体により好適に記録情報を記録することが可能となる。【００１５】
尚、「第２基準」とは、第１基準と比較して緩やかな基準でありつつも、あるパワーで記録された記録情報を再生した際の再生特性が特段の問題を生じない状態ないしは相応に好適な状態を実現できるような基準を示す。即ち、再生特性が第２基準を満たすような記録情報は、その再生に特段の不都合が生ずることはない。より具体的には、例えば、第２基準は、規格によって定められる再生特性の許容範囲内に収まることを求める基準に相当し、第１基準は、該許容範囲の中でも更に最適な範囲内に収まることを求める基準に相当する。【００１６】
本発明の情報記録装置の他の態様は、前記付与手段は、前記複数の再生特性の夫々に対して、優先順位を付与し、前記制御手段は、前記複数の再生特性のうち前記優先順位が相対的に高い第１の再生特性が前記第１基準を満たすパワーで前記記録情報を記録するように前記記録手段を制御する。【００１７】
この態様によれば、例えば情報記録装置の記録状態（或いは、記録条件）に応じて複数の再生特性の夫々に固有の優先順位が付与され、優先順位の高い第１の再生特性が優先的に第１基準を満たすようなパワーで記録情報が記録される。従って、記録手段を制御する際に複数の再生特性を考慮に入れる必要がある場合であっても、優先順位を参照することで、好適に記録手段を制御することができる。【００１８】
尚、優先順位が相対的に高い再生特性であって、パワーを制御する際に第１基準を満たすことを求められる再生特性は、上述の「重み付けが付与された少なくとも一つの再生特性」に相当する。【００１９】
上述の如く優先順位が付与される情報記録装置の態様では、前記制御手段は、前記第１の再生特性が前記第１基準を満たし、且つ前記複数の再生特性のうち前記第１の再生特性以外の他の再生特性が、前記第１基準よりも緩やかな第２基準を満たすパワーで前記記録情報を記録するように前記記録手段を制御するように構成してもよい。【００２０】
このように構成すれば、優先順位が高い第１の再生特性のみならず、第１の再生特性より優先順位が低い他の再生特性の向上をも十分に考慮して記録手段を制御することが可能となる。従って、情報記録媒体により好適に記録情報を記録することが可能となる。【００２１】
上述の如く優先順位が付与される情報記録装置の態様では、前記他の再生特性が前記第２基準を満たすパワーで前記記録情報を記録するように前記記録手段を制御することができない場合、前記制御手段は、前記第１の再生特性の次に優先される第２の再生特性が前記第１基準を満たし、且つ前記複数の再生特性のうち前記第２の再生特性以外の他の再生特性が前記第２基準を満たすパワーで前記記録情報を記録するように前記記録手段を制御するように構成してもよい。【００２２】
このように構成すれば、第１の再生品質よりも優先順位が低い第２の再生特性を新たな第１の再生特性とみなされて、記録手段が制御される。従って、優先順位の高い再生特性が優先的に第１基準を満たすように、好適に記録手段を制御することができる。【００２３】
本発明の情報記録装置の他の態様は、前記付与手段は、前記情報記録媒体の規格により前記複数の再生特性の夫々に対して定められる許容範囲（特に、その上限ないしは下限）に対する前記複数の再生特性の夫々のマージンが少ないか否かに応じて前記重み付けを付与する。【００２４】
この態様によれば、例えば、許容範囲に対するマージンが少ない再生特性に対して重み付けが付与される。言い換えれば、許容範囲内に収まりつつもその上限ないしは下限に近い再生特性に対して重み付けが付与される。従って、制御手段の動作により、このような再生特性が第１基準を満たすように記録手段が制御されるため、記録情報の再生特性を好適に向上させることができる。【００２５】
本発明の情報記録装置の他の態様は、前記付与手段は、複数種類の情報再生装置における前記情報記録媒体の再生互換性に応じて前記重み付けを付与する。【００２６】
この態様によれば、再生互換性が担保されるように、ある再生特性に重み付けが付与され、記録手段の制御が行われる。従って、再生互換性が担保されるように、記録情報の再生特性を好適に向上させることができる。【００２７】
本発明の情報記録装置の他の態様は、前記付与手段は、前記情報記録媒体における追記性に応じて前記重み付けを付与する。【００２８】
この態様によれば、追記性が担保されるように、ある再生特性に重み付けが付与され、記録手段の制御が行われる。従って、追記性が担保されるように、記録情報の再生特性を好適に向上させることができる。【００２９】
本発明の情報記録装置の他の態様は、前記付与手段は、前記情報記録媒体におけるランダムアクセス性に応じて前記重み付けを付与する。【００３０】
この態様によれば、ランダムアクセス性が担保されるように、ある再生特性に重み付けが付与され、記録手段の制御が行われる。従って、ランダムアクセス性が担保されるように、記録情報の再生特性を好適に向上させることができる。【００３１】
本発明の情報記録装置の他の態様は、前記付与手段は、前記記録情報が記録される速度を示す記録速度に応じて前記重み付けを付与する。【００３２】
この態様によれば、記録速度に応じて、記録情報の再生特性を好適に向上させることができる。【００３３】
本発明の情報記録装置の他の態様は、前記情報記録媒体は、前記記録情報が記録される複数の記録トラックを備えており、前記付与手段は、前記複数の記録トラックのうち一の記録トラックに前記レーザ光が照射された場合における、該レーザ光が前記一の記録トラックに略隣接する他の記録トラックに与える影響を示すクロスライト値に応じて前記重み付けを付与する。【００３４】
この態様によれば、クロスライト値を減少させるないしはゼロにするように、ある再生特性に重み付けが付与され、記録手段の制御が行われる。従って、クロスライト値を減少させるないしはゼロにするように、記録情報の再生特性を好適に向上させることができる。【００３５】
本発明の情報記録装置の他の態様は、前記重み付けが付与された少なくとも一つの再生特性が前記第１基準を満たすパワーで前記記録情報を記録することができない場合、前記記録情報を記録する際の記録条件を修正する修正手段を更に備える。【００３６】
この態様によれば、記録条件が修正されることで、重み付けが付与された少なくとも一つの再生特性の値が変化し、その結果、該重み付けが付与された少なくとも一つの再生特性が第１基準を満たすパワーで記録情報を記録することができるようになる。【００３７】
上述の如く修正手段を備える情報記録装置の態様では、前記レーザ光は、第１の振幅を有するトップパルス及び前記第１の振幅よりも小さい第２の振幅を有するミドルパルスを含んでおり、前記修正手段は、前記記録条件として、少なくとも前記第２の振幅を修正するように構成してもよい。【００３８】
このように構成すれば、第２の振幅を修正することで、重み付けが付与された少なくとも一つの再生特性の値を変化させることができる。その結果、該重み付けが付与された少なくとも一つの再生特性が第１基準を満たすパワーで記録情報を記録することができるようになる。【００３９】
上述の如く修正手段を備える情報記録装置の態様では、前記レーザ光は、複数のパルスを含んでおり、前記修正手段は、前記記録条件として、前記複数のパルスのうちの少なくとも一つのパルスのパルス幅を修正するように構成してもよい。【００４０】
このように構成すれば、パルス幅を修正することで、重み付けが付与された少なくとも一つの再生特性の値を変化させることができる。その結果、該重み付けが付与された少なくとも一つの再生特性が第１基準を満たすパワーで記録情報を記録することができるようになる。【００４１】
上述の如く修正手段を備える情報記録装置の態様では、前記修正手段は、前記記録条件として、記録線速度及び記録密度の少なくとも一方を修正するように構成してもよい。【００４２】
このように構成すれば、記録線速及び記録密度の少なくとも一方を修正することで、重み付けが付与された少なくとも一つの再生特性の値を変化させることができる。その結果、該重み付けが付与された少なくとも一つの再生特性が第１基準を満たすパワーで記録情報を記録することができるようになる。【００４３】
本発明の情報記録装置の他の態様は、前記複数の再生特性は、ジッタ値、アシンメトリ値、エラーレート値、クロスライト値、ＬＰＰ信号レベル値、ウォブル信号レベル値及びＣＡＰＡ信号レベル値の少なくとも一つを含む。【００４４】
この態様によれば、これらの再生特性を好適に向上させることができる。【００４５】
本発明の情報記録装置の他の態様は、前記記録手段は、前記記録情報を記録する際の基準記録速度と比較してＮ（但し、Ｎは、２以上の整数）倍速以上の記録速度で前記記録情報を記録する。【００４６】
この態様によれば、特に高速記録時（即ち、基準記録速度たる１倍速の記録速度と比較して概ね４倍速以上の記録速度での記録時）において問題となる複数の再生特性のばらつきを効果的に防止することができる。従って、高速記録時においても、記録情報の再生特性（特に、プリ情報の第１再生特性）の向上を図ることが可能となる。【００４７】
言い換えれば、本発明に係る情報記録装置は、従来のＯＰＣにおける最適パワーの検出のための評価基準となっているアシンメトリやジッタ値を、他の再生特性に単に変更したものでは決してない。即ち、本発明によれば、アシンメトリやジッタ値を許容範囲内に収めながらも、高速記録時において特に問題となる複数の再生特性のばらつきを好適に防止することを主眼に新たな効果を奏するものであり、従来のＯＰＣでは解決できない高速記録時における複数の再生特性のばらつきを効果的に避ける（即ち、複数の再生特性の夫々を効果的に向上させる）ことができるという従来のＯＰＣでは実現できない特有の効果を有しているものである。【００４８】
本発明の情報記録装置の他の態様は、前記制御手段は、前記パワーと前記重み付けが付与された少なくとも一つの再生特性との相関関係を示す相関情報に基づいて、前記重み付けが付与された少なくとも一つの再生特性が所定の第１基準を満たすパワーで前記記録情報を記録するように前記記録手段を制御する。【００４９】
この態様によれば、相関情報に基づいて、適切に記録手段を制御することができる。従って、情報記録媒体に記録される記録情報の再生特性を向上させることが可能となる。【００５０】
本発明の情報記録装置の他の態様は、前記制御手段は、前記パワーと前記複数の再生特性の夫々との相関関係を示す相関情報に基づいて、前記重み付けが付与された少なくとも一つの再生特性が所定の第１基準を満たすパワーで前記記録情報を記録するように前記記録手段を制御する。【００５１】
この態様によれば、相関情報に基づいて、適切に記録手段を制御することができる。従って、情報記録媒体に記録される記録情報の再生特性を向上させることが可能となる。【００５２】
上述の如く相関情報を用いて記録手段を制御する情報記録装置の態様では、前記記録手段を制御することで、前記パワーを変化させながら前記情報記録媒体に試し記録用の試し情報を記録し、且つ該試し情報を再生することで、前記相関情報を作成する作成手段を更に備えるように構成してもよい。【００５３】
このように構成すれば、例えば後述のＯＰＣの如く、パワーを段階的に或いは連続的に変化させながら試し情報を記録することで、相関情報を好適に作成することができる。このため、この作成された相関情報に基づいて、記録手段を適切に制御することが可能となる。特に、実際に記録される記録情報と再生特性との相関関係に基づいて記録手段を制御しているため、情報記録装置毎のばらつきや情報記録媒体毎のばらつき等によらず、好適に記録手段を制御することができる。【００５４】
上述の如く作成手段を備える情報記録装置の態様では、前記記録手段は、前記作成された相関情報を前記情報記録媒体に記録するように構成してもよい。【００５５】
このように構成すれば、一度作成した相関情報を、作成後も継続して使用することが可能となる。従って、改めて記録手段を制御する際に再度相関情報を作成するという手間を省くことができる。【００５６】
特に、情報記録媒体に記録するため、当該情報記録媒体を情報記録装置からイジェクトした後に新たに別の情報記録装置にローディングした場合であっても、情報記録媒体中に記録された相関情報を用いて、上述の如く記録手段を適切に制御することができる。【００５７】
上述の如く作成手段を備える情報記録装置の態様は、前記作成された相関情報を格納するための格納手段を更に備えるように構成してもよい。【００５８】
このように構成すれば、一度作成した相関情報を、作成後も使用し続けることが可能となる。従って、改めて記録手段を制御する際に再度相関情報を作成するという手間を省くことができる。【００５９】
特に、情報記録装置自身が備える格納手段に相関情報を格納するため、相関情報を作成した情報記録媒体とは異なる他の情報記録媒体に記録情報を記録する際にも、当該相関情報を用いて記録手段を制御することが可能となる。特に、同一種類、同一品質、同一製造元等の情報記録媒体に記録をする際に有効となる。【００６０】
このとき、相関情報を、情報記録媒体の識別番号（例えば、製造者番号やディスクＩＤ等）毎に区分して格納することが好ましい。【００６１】
（情報記録方法）
上記課題を解決するために、本発明の情報記録方法は、所定のパワーのレーザ光を照射することによって、情報記録媒体に記録情報を記録する記録手段を備える情報記録装置における情報記録方法であって、前記記録情報に関連する複数の再生特性のうち少なくとも一つに重み付けを付与する付与工程と、前記重み付けが付与された少なくとも一つの再生特性が所定の第１基準を満たすパワーで前記記録情報を記録するように前記記録手段を制御する制御工程とを備える。【００６２】
本発明の情報記録方法によれば、上述した本発明の情報記録装置と同様の各種利益を享受することができる。【００６３】
尚、上述した本発明の情報記録装置における各種態様に対応して、本発明に係る情報記録方法も各種態様を採ることが可能である。【００６４】
（コンピュータプログラム）
上記課題を解決するために、本発明に係るコンピュータプログラムは、コンピュータを上述した情報記録装置（但し、その各種形態も含む）として機能させる。より具体的には、コンピュータを上述した情報記録装置における前記記録手段、前記付与手段及び前記制御手段のうち少なくとも一部として機能させる。【００６５】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００６６】
尚、上述した本発明の情報記録装置における各種態様に対応して、本発明のコンピュータプログラムも各種態様を採ることが可能である。【００６７】
上記課題を解決するために、コンピュータ読取可能な媒体内のコンピュータプログラム製品は、上述した本発明の情報記録装置（但し、その各種態様を含む）に備えられたコンピュータにより実行可能なプログラム命令を明白に具現化し、該コンピュータを、上述した情報記録装置における前記記録手段、前記付与手段及び前記制御手段のうち少なくとも一部として機能させる。【００６８】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００６９】
本発明のこのような作用及び他の利得は次に説明する実施例から明らかにされる。【００７０】
以上説明したように、本発明の情報記録装置によれば、記録手段、付与手段及び制御手段を備える。本発明の情報記録方法によれば、付与工程及び制御工程を備える。従って、レーザ光のパワーを適切に制御しながら記録情報を記録することができ、その結果記録される記録情報の再生特性を好適に向上させることが可能となる。
【図面の簡単な説明】
【００７１】
【図１】本発明の情報記録装置に係る実施例に用いられる情報記録媒体の一例たる光ディスクの基本構造を示し、上側部分は複数のエリアを有する光ディスクの概略平面図であり、これ
【図２】本発明の情報記録装置に係る実施例の基本構成を概念的に示すブロック図である。
【図３】本実施例に係る情報記録装置が備える再生特性検出回路の基本構成を概念的に示すブロック図である。
【図４】本実施例に係る情報記録装置の第１動作例の流れを概念的に示すフローチャートである。
【図５】本実施例に係る情報記録装置の動作において、１６パワーステップの場合の１回のＯＰＣ処理を示した模式的タイミングチャート図である。
【図６】本実施例に係る情報記録装置において、ＯＰＣ動作により作成された相関情報を概念敵に示すグラフである。
【図７】レーザパワーと、ＲＦエラーレート値、ジッタ値及びアシンメトリ値の夫々との相関関係を示す相関情報を概念的に示すグラフである。
【図８】レーザパワーと、ＲＦエラーレート値、ＡＲ特性及びアシンメトリ値の夫々との相関関係を示す相関情報を概念的に示すグラフである。
【図９】レーザパワーと、ＲＦエラーレート値、ウォブル信号のレベル値及びアシンメトリの夫々との相関関係を示す相関情報を概念的に示すグラフである。
【図１０】光ピックアップより照射されるレーザ光ＬＢの波形を規定する記録ストラテジのパルス波形を概念的に示す波形図である。
【図１１】記録条件の変更による再生特性の変化を示す表である。
【図１２】本実施例に係る情報記録装置の第２動作例の流れを概念的に示すフローチャートである。
【図１３】本実施例に係る情報記録装置の第２動作例において用いられる優先順位を示す表である。
【符号の説明】
【００７２】
１  情報記録装置
１００  光ディスク
５０１  光ピックアップ
５０３  ＲＦアンプ
５０４  レーザドライブ回路
５０５  ＯＰＣ回路
５１０  再生特性検出回路
５２１  ＲＦ振幅測定回路
５４０  ジッタ測定回路
５５０  ＣＰＵ
５６０  メモリ
【発明を実施するための最良の形態】
【００７３】
以下、本発明を実施するための最良の形態について実施例毎に順に図面に基づいて説明する。【００７４】
先ず、図１を参照して、本発明の情報記録装置に係る実施例において用いられる情報記録媒体について説明する。本実施例では、情報記録媒体として記録型の光ディスクを用いて説明を進める。ここに、図１は、上側に複数のエリアを有する光ディスクの構造を概略平面図で示すと共に、下側にその径方向におけるエリア構造を概念図で対応付けて示すものである。【００７５】
図１に示すように、光ディスク１００は、例えば、記録（書き込み）が複数回又は１回のみ可能な、光磁気方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、データ記録エリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウォブリングされてもよいし、これらのうち一方又は両方のトラックにプリピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。また、リードインエリア１０４やリードアウトエリア１０８は更に細分化された構成であってもよい。【００７６】
（情報記録装置の実施例）
続いて、図２から図１３を参照して、本発明の情報記録装置に係る実施例について説明する。【００７７】
（基本構成）
初めに、図２及び図３を参照して本実施例に係る情報記録装置の基本構成について説明する。ここに、図２は、本実施例に係る情報記録装置の基本構成を概念的に示すブロック図であり、図３は、本実施例に係る情報記録装置が備える再生特性検出回路の基本構成を概念的に示すブロック図である。【００７８】
図２に示すように、本実施例に係る情報記録装置１は、光ピックアップ５０１、スピンドルモータ５０２、ＲＦ（Radio Frequency）アンプ５０３、レーザドライブ回路５０４、ＯＰＣ（Optimum Power Control）回路５０５、トラッキングサーボ回路５０７、アクチュエータドライブ回路５０８、再生特性検出回路５１０、イコライザ５２０、ＲＦ振幅測定回路５２１、２値化回路５３０、デコーダ５３１、ＰＬＬ（Phase Locked Loop）５３２、ジッタ計測回路５４０、ＣＰＵ５５０、メモリ５６０を含んで構成されている。【００７９】
光ピックアップ５０１は、本発明における「記録手段」の一具体例を構成しており、光ディスク１００への記録又は再生を行うもので、半導体レーザ装置、各種レンズ、アクチュエータ等から構成される。より詳細には、光ピックアップ５０１は、光ディスク１００に対してレーザ光ＬＢ等の光ビームを、再生時には読み取り光として第１のパワーで照射し、記録時には書き込み光として第２のパワーで且つ変調させながら照射する。このようなレーザ光ＬＢのパワー調整は、後述する「制御手段」の一具体例たるレーザドライブ回路５０４の制御の下に行われる。より具体的には、所定のパルスストラテジに規定される駆動パルスにより半導体レーザ装置が駆動されることで、所定のレーザパワーを有するレーザ光ＬＢが照射される。また、光ピックアップ５０１は、トラッキングサーボ回路５０７により駆動されるアクチュエータドライブ回路５０８、図示しないスライダ等により光ディスク１００の半径方向等に移動できるように構成されている。【００８０】
スピンドルモータ５０２は、図示しないサーボ回路等によりスピンドルサーボを受けつつ所定速度で光ディスク１００を回転させるように構成されている。【００８１】
ＲＦアンプ５０３は、光ピックアップ５０１から照射されるレーザ光ＬＢの反射光を受光する図示しないＰＤ（Photo Detector）から出力される信号を増幅し、該増幅した信号を出力する。具体的には、読取信号たるＲＦ信号（或いは、ＬＰＰ信号やウォブル信号等）が再生特性検出回路５１０やイコライザ５２０や２値化回路５３０やジッタ計測回路５４０に出力される。【００８２】
レーザドライブ回路５０４は、ＣＰＵ５５０と共に本発明における「制御手段」の一具体例を構成しており、後述のＯＰＣ処理時には、後述のＯＰＣパターンの記録及び再生処理により最適なレーザパワーの検出が行えるように、光ピックアップ５０１内に設けられた半導体レーザを駆動する。その後、データ記録時には、ＯＰＣ処理により検出された最適なレーザパワーで、光ピックアップ５０１の半導体レーザを駆動するように構成されている。このデータ記録時には、最適レーザパワーは、記録データに応じて変調される。【００８３】
ＯＰＣ回路５０５は、記録動作前のＯＰＣ処理におけるＯＰＣパターンの記録時に、ＯＰＣパターンを示す信号を、レーザドライブ回路５０４に対して出力するように構成されている。なお、ＯＰＣ処理についての説明は、後に詳述する（図５等参照）。【００８４】
トラッキングサーボ回路５０７は、光ピックアップ５０１からの読取信号たるＲＦ信号よりトラッキングエラー信号等の各種サーボ信号を検出可能に構成されている。そして、この各種サーボ信号は、アクチュエータドライブ回路５０８や或いはスピンドルモータ５０２へ出力可能に構成されている。【００８５】
アクチュエータドライブ回路５０８は、トラッキングサーボ回路５０７から出力される各種サーボ信号に基づき、光ディスク１００の径方向或いは回転方向への光ピックアップ５０１の移動を制御可能に構成されている。そして、アクチュエータドライブ回路５０８によりその移動が制御されている光ピックアップ５０１により、光ディスク１００の所望の記録位置にレーザ光ＬＢが照射されることで各種データを記録することが可能となる。【００８６】
再生特性検出回路５１０は、ＲＦアンプ５０３からの受光量に応じた出力信号に基づいて、各種再生特性を検出可能に構成されている。具体的には、図３に示すように、再生特性検出回路５１０は、ＬＰＰ（Land Pre Pit）検出回路５１１１、ＧＡＴＥ（ＬＰＰ）作成回路５１１２、ＬＰＰデータ検出回路５１１３、ＬＰＰエラーレート検出回路５１１４、ＷＯＢ（Wobble）検出回路５１２１、ＧＡＴＥ（ＷＯＢ）検出回路５１２２、ＷＯＢデータ検出回路５１２３、ＷＯＢエラーレート検出回路５１２４、エラーレート検出回路５１３１、ＥＣＣ検出回路５１３２、誤り訂正回路５１３３、ＲＦエラーレート検出回路５１３４、ＣＡＰＡ（Complimentary Allocated Pit Address）検出回路５１４１、ＧＡＴＥ（ＣＡＰＡ）作成回路５１４２、ＣＡＰＡデータ検出回路５１４３、ＣＡＰＡエラーレート検出回路５１４４、クロスライト検出回路５１５１、クロスライトキャンセル回路５１５２、クロスライトデータ検出回路５１５３及びＲＦエラーレート検出回路５１５４を備える。【００８７】
ＬＰＰ検出回路５１１１は、ＲＦアンプ５０３からの受光量に応じた出力信号に基づいて、ＬＰＰ信号を示すプッシュプル信号を検出可能に構成されている。このとき、プッシュプル信号を検出するために、光ピックアップ５０１の受光素子は、例えば２分割或いは４分割等複数の領域に分けてレーザ光ＬＢの反射光を受光可能に構成されていることが好ましい。【００８８】
尚、ＬＰＰとは、光ディスク１００の一具体例としてのＤＶＤ−Ｒ／ＲＷ等の記録トラック（特に、ランドトラック）上に予め形成されているピットであって、例えば光ディスク１００上のアドレス位置や、データ記録時の記録クロック信号の生成のために用いられる。【００８９】
ＧＡＴＥ（ＬＰＰ）作成回路５１１２は、ＬＰＰデータを検出するためのゲート信号を作成可能に構成されている。具体的には、ＬＰＰが形成されているウォブルを対象としてゲート信号を作成することで、ＬＰＰデータを検出可能にすると共に、ＬＰＰデータに含まれるノイズを効果的に除去することができる。もちろん、ウォブル信号を検出して作成されるゲート信号を用いてもＬＰＰデータを検出することができることはいうまでもない。【００９０】
ＬＰＰデータ検出回路５１１３は、ＬＰＰ検出回路５１１１より出力されるＬＰＰ信号から、ＧＡＴＥ（ＬＰＰ）作成回路５１１２により作成されたゲート信号に基づいて、ＬＰＰデータを検出可能に構成されている。例えばＬＰＰデータより、光ディスク１００上におけるアドレス位置を示すプリフォーマットアドレス情報や、記録動作の際のクロックを示す情報を検出可能に構成されている。【００９１】
ＬＰＰエラーレート検出回路５１１４は、ＬＰＰデータ検出回路５１１３において検出されたＬＰＰデータのエラーの発生率（即ち、ＬＰＰエラーレート）を検出可能に構成されている。このエラーレートは、例えば記録後ＬＰＰ特性（或いは、ＢＥＲＬＰＰａ：Block Error Rate LPP after）と称され、ＡＲ特性と同様の数値を示すものである。【００９２】
ここで、ＡＲ特性について簡単な説明を加える。光ピックアップ５０１は、図示しない２分割受光回路を備えており、夫々の分割再生信号からプッシュプル信号を生成することが出来る。そして、このプッシュプル信号成分のうち光ディスク１００上に設けられている記録トラックであるグループトラックとグルーブトラックとの間に存在するＬＰＰ（ランドプリピット）信号成分の最大振幅と最小振幅との比率をＡＲ特性と称している。例えば、ＤＶＤ−Ｒ／ＲＷ上に設けられているＬＰＰを再生したときの再生信号をオシロスコープ上で重ね合わせることで、その再生信号の最大振幅と最低振幅とを認識することができ、これよりＡＲ特性を算出することができる。但し、実際の情報記録装置１においては、ＬＰＰデータのエラーレートを算出することで、ＡＲ特性の測定と同等の確認が可能であり、同等の動作を行なうことができる。【００９３】
ＬＰＰ信号にはアドレス情報や記録時に必要な光ディスク１００に固有の記録ストラテジ情報等が記録されている。また、ＬＰＰ信号は、最初にデータを記録するときや途中からデータを記録する（即ち、追記する）ときに特に必要な記録クロックを生成するために必要な基本信号であり、光ディスク１００の一具体例たるＤＶＤ−ＲやＤＶＤ−ＲＷでは重要な信号である。しかしながら、ＬＰＰ信号はグルーブトラック上にデータが記録されると、その信号品質が劣化するため、記録後のＬＰＰ信号品質を規格で規定している（ＤＶＤ  Ｓｐｅｃｉｆｉｃａｔｉｏｎｓ  ｆｏｒ  Ｒｅｃｏｒｄａｂｌｅ  Ｄｉｓｃを参照）。それを数値であらわしたのがＡＲ特性であるといえる。【００９４】
ＷＯＢ検出回路５１２１は、ＲＦアンプ５０３からの受光量に応じた出力信号に基づいて、ウォブル信号（ＷＯＢ信号）を示すプッシュプル信号を検出可能に構成されている。【００９５】
尚、ウォブルとは、光ディスク１００上の記録トラックの揺動ないしはうねりである。例えば光ディスク１００の一具体例であるＤＶＤ−Ｒ／ＲＷであれば、記録トラックは固定周期で揺動しており、光ディスク１００の一具体例であるＤＶＤ＋Ｒ／ＲＷであれば、記録トラックはＢＰＭ（Bi Phase Modulation）変調が施されて揺動しており、光ディスク１００の一具体例であるＤＶＤ−ＲＡＭであれば、記録トラックは、ＣＡＰＡ信号が記録されている部分を除いて固定周期で揺動している。ウォブルは、例えば光ディスク１００上におけるアドレス位置を示すプリフォーマットアドレス情報や、データ記録時の記録クロック信号の生成のために用いられる。【００９６】
ＧＡＴＥ（ＷＯＢ）作成回路５１２２は、ウォブルデータ（ＷＯＢデータ）を検出するためのゲート信号を作成可能に構成されている。具体的には、ウォブルを対象としてゲート信号を作成することで、ウォブルデータを検出可能にすると共に、ウォブルデータに含まれるノイズを効果的に除去することができる。【００９７】
ＷＯＢデータ検出回路５１２３は、ＷＯＢ検出回路５１２１より出力されるウォブル信号から、ＧＡＴＥ（ＬＰＰ）作成回路５１２２により作成されたゲート信号に基づいて、ウォブルデータを検出可能に構成されている。例えばウォブルデータより、記録動作の際のクロックを示す情報を検出可能に構成されている。【００９８】
ウォブルエラーレート検出回路５１２４は、ウォブルデータ検出回路５１２３において検出されたウォブルデータのエラーの発生率（即ち、ＷＯＢエラーレート）を検出可能に構成されている。【００９９】
エラーレート検出回路５１３１は、ＲＦアンプ５０３からの受光量に応じた出力信号に基づいて、エラーレートを検出するためのＲＦ信号を検出可能に構成されている。【０１００】
ＥＣＣ検出回路５１３２は、ＲＦ信号を再生することで得られる再生データ中に付加されている、誤り訂正処理を実行するためのＥＣＣ（Error Correction Code）を検出可能に構成されている。【０１０１】
誤り訂正回路５１３３は、エラーレート検出回路５１３１より出力されるＲＦ信号を再生することで得られる再生データに対して、ＥＣＣ回路５１３２により検出されたＥＣＣに基づいて、誤り訂正処理を実行可能に構成されている。【０１０２】
ＲＦエラーレート検出回路５１３４は、誤り訂正回路５１３３において実行された誤り訂正処理の結果に基づいて、ＲＦエラーレートを検出可能に構成されている。【０１０３】
ＣＡＰＡ検出回路５１４１は、ＲＦアンプ５０３からの受光量に応じた出力信号に基づいて、ＣＡＰＡ信号を示すプッシュプル信号を検出可能に構成されている。【０１０４】
尚、ＣＡＰＡとは、光ディスク１００の一具体例としてのＤＶＤ−ＲＡＭ等の記録トラック上に、１セクタ毎に予め形成されているピットにより記録されているアドレス情報であって、例えば光ディスク１００上のアドレス位置の生成のために用いられる。【０１０５】
ＧＡＴＥ（ＣＡＰＡ）作成回路５１４２は、ＣＡＰＡデータを検出するためのゲート信号を作成可能に構成されている。【０１０６】
ＣＡＰＡデータ検出回路５１４３は、ＣＡＰＡ検出回路５１４１より出力されるＣＡＰＡ信号から、ＧＡＴＥ（ＣＡＰＡ）作成回路５１４２により作成されたゲート信号に基づいて、ＣＡＰＡデータを検出可能に構成されている。例えばＣＡＰＡデータより、アドレス情報を検出可能に構成されている。【０１０７】
ＣＡＰＡエラーレート検出回路５１４４は、ＣＡＰＡデータ検出回路５１４３において検出されたＣＡＰＡデータのエラーの発生率（即ち、ＣＡＰＡエラーレート）を検出可能に構成されている。【０１０８】
クロスライト検出回路５１５１は、ＲＦアンプ５０３からの受光量に応じた出力信号に基づいて、クロスライト量を検出するためのＲＦ信号ないしはプッシュプル信号を検出可能に構成されている。【０１０９】
尚、「クロスライト」は、一の記録トラックに対してレーザ光ＬＢが照射されている場合に、該一の記録トラックに隣接する他の記録トラックにも該レーザ光ＬＢが意図せず照射されることに起因して他の記録トラックに生ずる悪影響を示している。この場合、一の記録トラックに隣接する他の記録トラックとは、一の記録トラックと同一記録層上に存在する記録トラックのみならず、一の記録トラックが存在する記録層とは異なる他の記録層上に存在する記録トラックをも含む趣旨である。【０１１０】
クロスライトキャンセル回路５１５２は、光ディスク１００上に生ずるクロスライトをキャンセル可能に構成されている。【０１１１】
クロスライトデータ検出回路５１５３は、クロスライトデータ（即ち、クロスライト量）を検出可能に構成されている。【０１１２】
ＲＦエラーレート検出回路５１５４は、クロスライトデータに基づいて、ＲＦエラーレートを検出可能に構成されている。【０１１３】
イコライザ５２０は、ＲＦアンプ５０３により検出されたＲＦ信号等に対して所定のフィルタリング（或いは、信号処理）を行い、且つフィルタリング後の信号（例えば、エンベロープ検波等）をＲＦ振幅測定回路５２１へ出力可能に構成されている。【０１１４】
ＲＦ振幅測定回路５２１は、ＯＰＣ処理におけるＯＰＣパターンの再生時に、ＣＰＵ５５０の制御下で、最適レーザパワーを検出するために、ＲＦアンプ５０３からの出力信号たるＲＦ信号のエンベロープ検波のピーク値及びボトム値を検出するように構成されている。係るＲＦ振幅測定回路５２１は、例えばＡ／Ｄ（Analog/Digital）コンバータ等を含んでいるように構成されてもよい。【０１１５】
２値化回路５３０は、ＲＦアンプ５０３により検出されたＲＦ信号等から２値化信号を作成可能に構成されている。具体的には、例えば検出されたＲＦ信号等よりパルス列を作成する。そして、２値化された信号をデコーダ５３１及びＰＬＬ５３２の夫々へ出力可能に構成されている。【０１１６】
デコーダ５３１は、２値化回路５３０で２値化されたＲＦ信号に復調等を施すことで、再生データをバッファや外部出力インタフェース経由で外部へ出力可能に構成されている。そして、当該外部出力インタフェースに接続された外部出力機器（例えば、液晶ディスプレイやプラズマディスプレイ等の表示デバイス、或いはスピーカ等）において、所定のコンテンツが再生出力されることとなる。【０１１７】
ＰＬＬ５３２は、２値化回路５３０から出力される２値化信号（特に、２値化されたＬＰＰ信号やウォブル信号）に基づいて、再生動作時の基準となるクロック信号を生成可能に構成されている。【０１１８】
ジッタ計測回路５４０は、ＲＦアンプ５０３により検出されたＲＦ信号からジッタ値を検出可能に構成されている。【０１１９】
ＣＰＵ５５０は、当該情報記録装置１全体の動作を制御するべく、例えば、トラッキングサーボ回路５０７や再生特性検出回路５１０やＲＦ振幅測定回路５２１やジッタ計測回路５４０等からデータを受け取り、その後の制御動作を行なう。そして、これらのデータに基づき、情報記録装置１が備える各手段に対してシステムコマンドを出力することで、情報記録装置１全体の制御を行う。通常、ＣＰＵ５５０が動作するためのソフトウェアは、例えば外部のメモリ内に格納されている。【０１２０】
メモリ５６０は、例えばＲＡＭ（Random Access Memory）やフラッシュメモリ等の半導体メモリを含んでなり、情報記録装置１の動作に必要な各種データを一時的に記録可能に構成されている。また、後述するように相関式や最適レーザパワーや相関情報等を記録可能に構成されている。【０１２１】
尚、上述した情報記録装置１においては、本発明の特徴をより分かりやすく説明するために、本実施例において必要となる構成要件を抜き出して図示している。このため、上述した構成要件以外の構成要件を備えていても良いことはいうまでもない。【０１２２】
また、再生特性検出回路５１０中の各構成要素は、必ずしも全て備えている必要はない。例えば、光ディスク１００がＤＶＤ−Ｒ／ＲＷである場合には、再生特性検出回路５１０は、ＣＡＰＡ検出回路５１４１やＧＡＴＥ（ＣＡＰＡ）作成回路５１４２やＣＡＰＡデータ検出器５１４３やＣＡＰＡエラーレート検出回路５１４４を必ずしも備えていなくともよい。要は、再生特性検出回路５１０は、情報記録装置１が記録の対象とする光ディスク１００の種類に応じて、必要な構成要素を備えていればよい。【０１２３】
（動作原理）
続いて、図４から図１４を参照して、本実施例に係る情報記録装置１の動作原理について説明する。【０１２４】
（１）第１動作例
先ず、図４を参照して、本実施例に係る情報記録装置１の第１動作例の流れについて説明する。ここに、図４は、本実施例に係る情報記録装置１の第１動作例の流れを概念的に説明するフローチャートである。【０１２５】
図４に示すように、先ず光ディスク１００が情報記録装置にローディングされる（ステップＳ１０１）。そして、ＣＰＵ５５０の制御下で、光ピックアップ５０１によりシーク動作が行われ、光ディスク１００への記録処理に必要な各種管理用データが取得される。特に、リードインエリア１０４におけるランドプリピット（ＬＰＰ）を読み取ることで、予め定められている所定の（或いは、デフォールトとしての）パルスストラテジを取得する。この管理用データに基づいて、ＣＰＵ５５０の制御により、例えば外部入力機器等からの指示に応じて、例えば外部入力インタフェース等を介して光ディスク１００へのデータの記録が行われる。【０１２６】
このローディング動作の後、ＯＰＣ（Optimum Power Control）処理が実行される（ステップＳ１０２）。【０１２７】
ここで、ＯＰＣ処理について、図５を参照しながら詳細な説明を加える。ここに、図５は、本実施例に係る情報記録装置の動作において、１６パワーステップの場合の１回のＯＰＣ処理を示した模式的タイミングチャート図である。【０１２８】
まず、ＣＰＵ５５０による制御下で、光ピックアップ５０１が光ディスク１００上の例えばリードインエリア１０４等に設けられたＰＣＡ（Power Control Area）へ移動される。そして、順次段階的に（例えば、相互に異なる１６段階の）レーザパワーが切り換えられて、ＯＰＣパターン等のテスト信号がＰＣＡに記録される。具体的には、ＯＰＣ回路５０５により生成される図５に示すような基準ＯＰＣパターン等のテスト信号が記録される。テスト信号としては、例えば３Ｔ〜１１Ｔないしは１４Ｔのランダムパターンが一つの例として挙げられる。このようなＯＰＣパターンは、ＣＰＵ５５０の制御の下に、所定のストラテジに従って作成される。図５では、段階的に切り換えられるレーザパワー毎に、ランダムパターンのうち３Ｔパターンのテスト信号を記録する第１ピット区間及び１１Ｔパターンのテスト信号を記録する第２ピット区間を含んだＯＰＣパターンを記録する態様を一具体例として示している。もちろん、段階的に切り換えられるレーザパワー毎に、異なるＯＰＣパターンを用いるように構成してもよい。【０１２９】
レーザドライブ回路５０４は、このＯＰＣパターンにより、レーザパワーを順次段階的に切り換えるように、光ピックアップ５０４内の半導体レーザを駆動する。【０１３０】
その後、このようなＰＣＡへのＯＰＣパターンの記録完了後には、ＣＰＵ５５０の制御下で、該ＰＣＡにおける記録部分（即ち、ＯＰＣパターン）が再生される。そして、段階的に切り換えられたレーザパワー毎に、再生されたＲＦ信号より、各種再生特性を検出する。例えば、ＲＦ振幅測定回路５２１の動作により測定されるＲＦピーク値及びＲＦボトム値からアシンメトリ値（或いは、β値）を検出したり、ジッタ計測回路５４０の動作によりジッタ値を検出したり、ＬＰＰデータ検出回路５１１３或いはＬＰＰエラーレート検出回路５１１４の動作によりＡＲ特性（或いは、記録後ＬＰＰ特性）を検出したり、ＷＯＢデータ検出回路５１２３或いはＷＯＢエラーレート検出器５１２４の動作によりウォブル信号のレベル値（即ち、Ｃ／Ｎ比）を検出したり、ＲＦエラーレート検出回路５１３４の動作によりＲＦエラーレート値を検出したり、ＣＡＰＡデータ検出回路５１４３或いはＣＡＰＡエラーレート検出回路５１４４の動作によりＣＡＰＡ信号のレベル値（即ち、Ｃ／Ｎ比）を検出したり、クロスライトデータ検出回路５１５３或いはＲＦエラーレート検出回路５１５４の動作によりクロスライト量を検出したりしてもよい。このような再生特性の検出が、段階的に切り換えられたレーザパワー毎に、１回のＯＰＣ処理において、例えば記録されたＯＰＣパターンの回数に応じて行われる。【０１３１】
再び図４において、ＯＰＣ処理の結果に基づいて、本発明の「作成手段」の一具体例を構成するＣＰＵ５５０の制御の下に、レーザパワーと複数の再生特性との相関関係を示す相関情報が作成される（ステップＳ１０３）。この相関情報により、図６に示すような、順次段階的に切り換えられたレーザパワーとそのレーザパワーにて記録されたＯＰＣパターンの各種再生特性との関係を示す情報を作成することができる。なお、図６は、ＯＰＣ動作により作成された相関情報を概念的に示すグラフである。【０１３２】
例えば、ＲＦエラーレート値を縦軸に、段階的に切り換えられたレーザパワーを横軸にとるグラフ上において、ＯＰＣパターンの再生により得られたＲＦエラーレート値をプロットし、且つ近似曲線で結ぶことで、図６（ａ）に示すような相関情報を得ることができる。係る近似曲線は、例えば最小二乗法等の数学的又は統計的手法を用いて作成することができる。【０１３３】
また、他の再生特性たるジッタ値においても同様に、図６（ｂ）に示すような相関情報を作成することができる。また、他の再生特性たるアシンメトリ値においても同様に、図６（ｃ）に示すような相関情報を作成することができる。もちろん、他の再生特性についても同様である。【０１３４】
再び図４において、ＣＰＵ５５０の制御の下に、取得された再生特性の全てが良好となる（言い換えれば、規格により定められる許容範囲内に収まる）レーザパワーが存在するか否かが判定される（ステップＳ１０４）。【０１３５】
ステップＳ１０４の判定の結果、取得された再生特性の全てが良好となるレーザパワーが存在すると判定された場合（ステップＳ１０４：Ｙｅｓ）、本発明の「付与手段」の一具体例を構成するＣＰＵ５５０の制御の下に、取得された再生特性のうち、特に優先度の高い（即ち、重み付けされている）再生特性が最適となるレーザパワーが、再生特性の全てが良好となるレーザパワーの中から選択される（ステップＳ１０５）。言い換えれば、ＣＰＵ５５０の制御の下に、取得された再生特性のうち最も重要視すべき再生特性が選択され、該選択された再生特性が最適となるレーザパワーが選択される。【０１３６】
このレーザパワーの選択動作について、図７から図９を参照して具体的に説明する。ここに、図７は、レーザパワーと、ＲＦエラーレート値、ジッタ値及びアシンメトリ値の夫々との相関関係を示す相関情報を概念的に示すグラフであり、図８は、レーザパワーと、ＲＦエラーレート値、ＡＲ特性及びアシンメトリ値の夫々との相関関係を示す相関情報を概念的に示すグラフであり、図９は、レーザパワーと、ＲＦエラーレート値、ウォブル信号のレベル値及びアシンメトリの夫々との相関関係を示す相関情報を概念的に示すグラフである。【０１３７】
ＲＦエラーレート値、ジッタ値及びアシンメトリ値の夫々の再生特性を縦軸に、適宜変化させられたレーザパワーを横軸にとるグラフ上において、試しデータの再生により得られたＲＦエラーレート値、ジッタ値及びアシンメトリ値の夫々をプロットし、且つ近似曲線で結ぶことで、図７に示すような相関情報を得ることができる。係る近似曲線は、上述したように、例えば最小二乗法等の数学的又は統計的手法を用いて作成することができる。【０１３８】
図７に示すように、レーザパワーが２７．５ｍＷから２９．０ｍＷの範囲では、ＲＦエラーレート値が“６．５×１０−５”以下であり、ジッタ値が“８．０％”以下であり、アシンメトリ値が−０．０４から０．０３である。従って、取得された再生特性の全てが良好となるレーザパワーが存在していると判定される。【０１３９】
この場合、例えば複数の情報再生装置（プレーヤ）における再生互換性を確保するという観点からは、ＲＦエラーレート値が最も重要視すべき再生特性として選択されることが好ましい。この場合、ＲＦエラーレート値が最適となる（例えば、最も小さくなる）レーザパワーである“２８．６ｍＷ”が、実際のデータの記録を行うためのレーザパワーとして決定されることが好ましい。【０１４０】
このように、本実施例に係る情報記録装置１は、複数の情報再生装置（プレーヤ）における再生互換性を確保することを重視する場合には、複数の再生特性のうちＲＦエラーレート値を特に重要視してレーザパワーを決定するように構成されることが好ましい。この場合、この「ＲＦエラーレート値が最適となる（例えば、最も小さくなる）」という条件が、本発明における「第１基準」の一具体例に相当する。また、「ＲＦエラーレート値以外の再生特性が良好となる（例えば、規格により定められる許容範囲内に収まる）」という条件が、本発明における「第２基準」の一具体例に相当する。つまり、図４のステップＳ１０５における「優先度の高い再生特性が最適となる」条件が、本発明における「第１基準」の一具体例に相当し、図４のステップＳ１０４における「再生特性が良好となる」条件が、本発明における「第２基準」の一具体例に相当する。【０１４１】
他方、ＲＦエラーレート値、ＡＲ特性及びアシンメトリ値の夫々の再生特性を縦軸に、適宜変化させられたレーザパワーを横軸にとるグラフ上において、試しデータの再生により得られたＲＦエラーレート値、ＡＲ特性及びアシンメトリ値の夫々をプロットし、且つ近似曲線で結ぶことで、図８に示すような相関情報を得ることができる。係る近似曲線は、上述したように、例えば最小二乗法等の数学的又は統計的手法を用いて作成することができる。【０１４２】
図８に示すように、レーザパワーが２７．５ｍＷから２９．５ｍＷの範囲では、ＲＦエラーレート値が“６．６×１０−５”以下であり、ＡＲ特性が“１０％”以上であり、アシンメトリ値が−０．０５から０．０６である。従って、取得された再生特性の全てが良好となるレーザパワーが存在していると判定される。【０１４３】
この場合、例えばアドレス制御にＬＰＰが用いられている場合の（例えば、光ディスク１００がＤＶＤ−Ｒ／ＲＷである場合の）データの追記性を確保するという観点からは、ＡＲ特性が最も重要視すべき再生特性として選択されることが好ましい。この場合、ＡＲ特性が最適となる（例えば、最も大きくなる）レーザパワーである“２７．５ｍＷ”が、実際のデータの記録を行うためのレーザパワーとして決定されることが好ましい。【０１４４】
このように、本実施例に係る情報記録装置１は、アドレス制御にＬＰＰが用いられている場合の（データの追記性を確保することを重視する場合には、複数の再生特性のうちＡＲ特性を特に重要視してレーザパワーを決定するように構成されることが好ましい。この場合、この「ＡＲ特性が最適となる（例えば、最も大きくなる）」という条件が、本発明における「第１基準」の一具体例に相当する。また、「ＡＲ特性以外の再生特性が良好となる（例えば、規格により定められる許容範囲内に収まる）」という条件が、本発明における「第２基準」の一具体例に相当する。【０１４５】
他方、ＲＦエラーレート値、ウォブル信号のレベル値及びアシンメトリ値の夫々の再生特性を縦軸に、適宜変化させられたレーザパワーを横軸にとるグラフ上において、試しデータの再生により得られたＲＦエラーレート値、ウォブル信号のレベル値及びアシンメトリ値の夫々をプロットし、且つ近似曲線で結ぶことで、図９に示すような相関情報を得ることができる。係る近似曲線は、上述したように、例えば最小二乗法等の数学的又は統計的手法を用いて作成することができる。【０１４６】
図９に示すように、レーザパワーが２７．５ｍＷから２９．５ｍＷの範囲では、ＲＦエラーレート値が“６．６×１０−５”以下であり、ウォブル信号のレベル値が“２５．０”以上であり、アシンメトリ値が−０．０５から０．０６である。従って、取得された再生特性の全てが良好となるレーザパワーが存在していると判定される。【０１４７】
この場合、例えばアドレス制御にウォブル変調が用いられている場合の（例えば、光ディスク１００がＤＶＤ＋Ｒ／ＲＷである場合の）データの追記性を確保するという観点からは、ウォブル信号のレベル値が最も重要視すべき再生特性として選択されることが好ましい。この場合、ウォブル信号のレベル値が最適となる（例えば、最も大きくなる）レーザパワーである“２７．５ｍＷ”が、実際のデータの記録を行うためのレーザパワーとして決定されることが好ましい。【０１４８】
このように、本実施例に係る情報記録装置１は、アドレス制御にウォブル変調が用いられているデータの追記性を確保することを重視する場合には、複数の再生特性のうちウォブル信号のレベル値を特に重要視してレーザパワーを決定するように構成されることが好ましい。この場合、この「ウォブル信号のレベル値が最適となる（例えば、最も大きくなる）」という条件が、本発明における「第１基準」の一具体例に相当する。また、「ウォブル信号のレベル値以外の再生特性が良好となる（例えば、規格により定められる許容範囲内に収まる）」という条件が、本発明における「第２基準」の一具体例に相当する。【０１４９】
また、規格により定められる許容範囲から見てより厳しい条件にある再生特性を特に重要視してレーザパワーを決定するように構成してもよい。言い換えれば、規格により定められる許容範囲の上限又は下限に対するマージンが少ない再生特性を特に重要視してレーザパワーを決定するように構成してもよい。【０１５０】
例えば、図７に示す相関情報が取得されている場合には、取得された再生特性の全てが良好となるレーザパワーである２７．５ｍＷから２９．０ｍＷの範囲内において、ジッタ値は“８．０”の値を取る。このとき、ジッタ値の許容範囲の上限である“８．０”とのマージンが少ないため、ジッタ値を特に重要視してレーザパワーを決定するように構成してもよい。この場合、ジッタ値が最適となる（例えば、最も小さくなる）レーザパワーである２７．８ｍＷが、実際のデータの記録を行うためのレーザパワーとして決定される。【０１５１】
また、光ディスク１００上の記録エリアへのランダムアクセス性を確保することを重視する場合には、複数の再生特性のうちＣＡＰＡ信号のレベル値を特に重要視してレーザパワーを決定するように構成することが好ましい。即ち、ＣＡＰＡ信号のレベル値が最適となる（例えば、最も大きくなる）レーザパワーが、実際のデータの記録を行うためのレーザパワーとして決定されることが好ましい。【０１５２】
また、記録速度に応じて、特に重要視する再生特性を選択するように構成してもよい。例えば、記録速度が“１ｘ”や“２ｘ”程度であれば、複数の再生特性のうちジッタ値やアシンメトリ値を特に重要視してレーザパワーを決定するように構成してもよい。即ち、ジッタ値が最適となる（例えば、最も小さくなる）又はアシンメトリ値が最適となる（例えば、略“０”となる）レーザパワーが、実際のデータの記録を行う際のレーザパワーとして決定されるように構成してもよい。記録速度が“４ｘ”程度であれば、複数の再生特性のうちＡＲ特性を特に重要視してレーザパワーを決定するように構成してもよい。即ち、ＡＲ特性が最適となる（例えば、最も大きくなる）レーザパワーが、実際のデータの記録を行う際のレーザパワーとして決定されるように構成してもよい。記録速度が“８ｘ”以上であれば、複数の再生特性のうちＲＦエラーレートやＡＲ特性等を特に重要視してレーザパワーを決定するように構成してもよい。即ち、ＲＦエラーレート値等が最適となる（例えば、最も小さくなる）レーザパワーが、実際のデータの記録を行う際のレーザパワーとして決定されるように構成してもよい。【０１５３】
また、記録トラックのトラックピッチが相対的に小さい光ディスク１００や、２つ以上の記録層を積層してなる光ディスク１００にデータを記録する場合には、複数の再生品質のうちクロスライト量を特に重要視してレーザパワーを決定するように構成してもよい。即ち、クロスライト量が最適となる（例えば、略“０”となる）レーザパワーが、実際のデータの記録を行う際のレーザパワーとして決定されるように構成してもよい。【０１５４】
また、光ディスク１００の種別に応じて、複数の再生特性のうちのいずれの再生特性を特に重要視するかを選択するように構成してもよい。【０１５５】
例えば、光ディスク１００の一具体例であるＤＶＤ−Ｒ／ＲＷにおいては、ＬＰＰによりアドレス情報やその他の重要な制御情報等が記録されている。従って、ＤＶＤ−Ｒ／ＲＷにデータを記録する際には、ＡＲ特性を特に重要視してレーザパワーを決定するように構成してもよい。即ち、ＡＲ特性が最適となる（例えば、最も大きくなる）レーザパワーが、実際のデータの記録を行うためのレーザパワーとして決定されるように構成してもよい。【０１５６】
例えば、光ディスク１００の一具体例であるＤＶＤ＋Ｒ／ＲＷやＢｌｕ−ｒａｙ  Ｄｉｓｃにおいては、ウォブルに対して施された変調によりアドレス情報やその他の重要な制御情報等が記録されている。従って、ＤＶＤ＋Ｒ／ＲＷにデータを記録する際には、ウォブル信号のレベル値を特に重要視してレーザパワーを決定するように構成してもよい。即ち、ウォブル信号のレベル値が最適となる（例えば、最も大きくなる）レーザパワーが、実際のデータの記録を行うためのレーザパワーとして決定されるように構成してもよい。【０１５７】
例えば、光ディスク１００の一具体例であるＤＶＤ−ＲＡＭにおいては、ＣＡＰＡによりアドレス情報やその他の重要な制御情報等が記録されている。従って、ＤＶＤ−ＲＡＭにデータを記録する際には、ＣＡＰＡ信号のレベル値を特に重要視してレーザパワーを決定するように構成してもよい。即ち、ＣＡＰＡ信号のレベル値が最適となる（例えば、最も大きくなる）レーザパワーが、実際のデータの記録を行うためのレーザパワーとして決定されるように構成してもよい。【０１５８】
再び図４において、実際に記録すべきデータを光ディスク１００の所定のアドレス位置より記録する（ステップＳ１０６）。ここではステップＳ１０５で決定されたレーザパワーに応じた駆動パルスによってレーザ光ＬＢが照射されるように、ＣＰＵ５５０の制御の下に、レーザドライブ回路５０４の動作によって光ピックアップ５０１（より具体的には、半導体レーザ装置）が制御される。そして、図１に示すデータ記録エリア１０６にデータが主として記録される。【０１５９】
具体的には、外部入力インタフェース等より入力される記録用のデータは、ＤＶＤモジュレータによりＤＶＤ変調（例えば、８−１６変調）が施される。そして、変調が施されたデータに対して、データ誤り訂正用の符号たるＥＣＣコードが、例えば所定のブロック単位（例えば、ＥＣＣブロック単位）毎に付加される。その後、光ピックアップ５０１より所望のレーザ光ＬＢが照射されることで、変調が施され且つＥＣＣコードが付加された記録用のデータが記録ピット、記録マーク或いは記録パターンとして光ディスク１００上に記録される。【０１６０】
その後、全てのデータの記録が終了したか否かを判定する。この判定の結果、全てのデータの記録が終了したと判定された場合、そのまま記録動作を終了し、必要に応じてＤＶＤ−ＲＯＭとの互換性を保つためのファイナライズ処理を施したり、或いは光ディスク１００を情報記録装置１からイジェクトするように構成してもよい。【０１６１】
他方、ステップＳ１０４の判定の結果、取得された再生特性の全てが良好となるレーザパワーが存在しないと判定された場合（ステップＳ１０４：Ｎｏ）、続いて、ＣＰＵ５５０の制御の下に、記録条件を変更することができるか否かが判定される（ステップＳ１０７）。【０１６２】
ステップＳ１０７の判定の結果、記録条件を変更することができないと判定された場合（ステップＳ１０７：Ｎｏ）、ＣＰＵ５５０の制御の下に、好適なレーザパワーのレーザ光ＬＢによってデータを記録することができないと判定され、その結果、データの記録動作が中止される（ステップＳ１０９）。このとき、データの記録を行うことができない旨の警告文等を、ディスプレイ上に表示するように構成してもよい。【０１６３】
他方、ステップＳ１０７の判定の結果、記録条件を変更することができると判定された場合（ステップＳ１０７：Ｙｅｓ）、ＣＰＵ５５０の制御の下に、記録条件が変更される（ステップＳ１０８）。記録条件を変更した後、再度ステップＳ１０２からの処理を継続する。【０１６４】
ここで、記録条件の変更動作について、図１０及び図１１を参照しながら、より詳細に説明する。ここに、図１０は、光ピックアップ５０１より照射されるレーザ光ＬＢの波形を規定する記録ストラテジのパルス波形を概念的に示す波形図であり、図１１は、記録条件の変更による再生特性の変化を示す表である。【０１６５】
レーザ光ＬＢを照射する際には、図１０（ａ）に示すような形状の記録ストラテジに従って光ピックアップ５０１内の半導体レーザが駆動される。記録ストラテジは、振幅がＰｏであるトップパルスと、振幅がＰｍであるミドルパルスとを組み合わせることで構成されている。【０１６６】
記録条件の変更として、例えばミドルパルスの振幅Ｐｍの大きさを変更してもよい。或いは、パルス幅Ｔｗｔを変更してもよい。【０１６７】
ミドルパルスの振幅Ｐｍを変更した場合の、再生特性に与える影響を図１１（ａ）に示す。図１１（ａ）に示すように、ミドルパルスの振幅Ｐｍを変更することで、Ｐｏ／Ｐｍが“１．５５”から“１．６５”に変更したとする。即ち、ミドルパルスの振幅Ｐｍを小さくしたとする。この場合、ＡＲ特性は、１９％から２２％へと“３％”だけ大きくなる。【０１６８】
また、図１１（ａ）には示していないが、ミドルパルスの振幅Ｐｍを小さくすると、クロスライト量が小さくなり、ＣＡＰＡ信号のレベル値が大きくなり、ウォブル信号のレベル値が大きくなり、ＲＦエラーレートが小さくなる。逆に、ミドルパルスの振幅Ｐｍを大きくすることで、ＡＲ特性が小さくなり、クロスライト量が大きくなり、ＣＡＰＡ信号のレベル値が小さくなり、ウォブル信号のレベル値が小さくなり、ＲＦエラーレートが大きくなる。【０１６９】
尚、ミドルパルスの振幅Ｐｍを小さくすることと同等の効果は、図１０（ｂ）に示すマルチパルス状の記録ストラテジにおいて、マルチパルス幅Ｔｍｐを小さくすることでも得られる。従って、マルチパルス幅Ｔｍｐを小さくすることで、ＡＲ特性が大きくなり、クロスライト量が小さくなり、ＣＡＰＡ信号のレベル値が大きくなり、ウォブル信号のレベル値が大きくなり、ＲＦエラーレートが小さくなる。逆に、マルチパルス幅Ｔｍｐを大きくすることで、ＡＲ特性が小さくなり、クロスライト量が大きくなり、ＣＡＰＡ信号のレベル値が小さくなり、ウォブル信号のレベル値が小さくなり、ＲＦエラーレートが大きくなる。【０１７０】
また、記録ストラテジの変更に加えて又は代えて、光ディスク１００にデータを記録する際の記録線速（即ち、線速度）を変更してもよい。例えばデータの記録が“Ｎｘ（但し、Ｎは１以上の整数）”の記録速度で行われているとした場合、記録速度が“Ｎｘ”のままで記録線速を変更してもよい。或いは、記録速度が“Ｍｘ（但し、ＭはＮとは異なる１以上の整数）”になるように記録線速を変更してもよい。【０１７１】
記録線速を変更した場合の、再生特性に与える影響を図１１（ｂ）に示す。図１１（ｂ）に示すように、記録線速を“８ｘ（８倍速）”から“６ｘ（６倍速）”に変更したとする。この場合、ジッタ値は、“８．５％”から“７．５％”へと“１％”だけ小さくなる。【０１７２】
或いは、光ディスク１００に記録されるデータの記録密度を変更してもよい。例えば、記録クロックを変更することなく記録線速を変更することで、データの記録密度を変更することができる。【０１７３】
記録密度を変更した場合の、再生特性に与える影響を図１１（ｃ）に示す。図１１（ｃ）に示すように、記録クロックを変更することなく、記録線速を“２０．０［ｍ／ｓ］”から“２０．９［ｍ／ｓ］”に変更したとする。この場合、ジッタ値は、“８．１％”から“６．６％”へと“１．２％”だけ小さくなる。【０１７４】
以上説明した「記録条件の変更」と「該記録条件の変更に伴う再生特性の変化」との関係に基づいて、所望の再生特性が最適となるように或いは良好となるように記録条件が変更される。どのような記録条件をどれだけ変更するかは、例えば「記録条件の変更」と「該記録条件の変更に伴う再生特性の変化」との関係に応じて、実験的、経験的、数学的又は理論的に、若しくはシミュレーション等を用いて個別具体的に決定されることが好ましい。そして、変更された後に再度ＯＰＣ処理が実行され、最終的に好適なレーザパワーが決定される。【０１７５】
尚、規格によるＡＲ特性の許容範囲は、例えばＤＶＤ−Ｒであれば“１５％”以上であり、例えばＤＶＤ−ＲＷであれば“１０％”以上である。従って、この範囲内にＡＲ特性が収まる場合に、ＡＲ特性が良好であると判定される。【０１７６】
また、規格によるジッタ値の許容範囲は、“８％”以下である。従って、この範囲内にジッタ値が収まる場合に、ジッタ値が良好であると判定される。【０１７７】
また、規格によるアシンメトリ値の許容範囲は、“−０．０５”から“０．１５”である。従って、この範囲内にアシンメトリ値が収まる場合に、アシンメトリ値が良好であると判定される。【０１７８】
また、規格によるウォブル信号のレベル値の許容範囲は、ＷＯＡ＞３１ｄＢである。従って、この範囲内にウォブル信号のレベル値が収まる場合に、ウォブル信号のレベル値が良好であると判定される。【０１７９】
また、規格によるＣＡＰＡ信号のレベル値の許容範囲は、ＤＶＤ−ＲＡＭの場合は１．０×１０−４（Address Error Ratio）である。従って、この範囲内にＣＡＰＡ信号のレベル値が収まる場合に、ＣＡＰＡ信号のレベル値が良好であると判定される。【０１８０】
また、規格によるＲＦエラーレート値の許容範囲は、３．０×１０−３以下である。従って、この範囲内にＲＦエラーレート値が収まる場合に、ＲＦエラーレート値が良好であると判定される。【０１８１】
また、規格によるクロスライト量の許容範囲は、ＤＶＤ−ＲＡＭの場合は１２％以内である。従って、この範囲内にクロスライト量が収まる場合に、クロスライト量が良好であると判定される。【０１８２】
以上の結果、本実施例に係る情報記録装置１によれば、レーザパワーを好適に決定することができる。このため、このレーザパワーに応じた駆動パルスにてレーザ光ＬＢを照射するように光ピックアップ５０１を制御すれば、記録されるデータの再生特性をより向上させることが可能となる。【０１８３】
特に、複数の再生特性のうち、そのときの記録状態に応じて重要視すべき再生特性を選択してレーザパワーを決定することができる。より具体的には、例えば、再生互換性を確保するか否か、追記性を確保するか否か、ランダムアクセス性を確保するか否か、記録速度がどの程度であるか、許容範囲の上限又は下限に対してマージンの少ない再生特性が存在するか否か、或いはクロスライト量がどの程度であるか等に応じて、重要視すべき再生特性を選択してレーザパワーを決定することができる。従って、一律にある再生特性が最適な状態となるようにレーザパワーを決定する情報記録装置と比較して、実際の記録状態を考慮したより好適なレーザパワーでデータを記録することが可能となる。その結果、記録されるデータの再生特性をより向上させることが可能となる。【０１８４】
尚、本実施例において「再生特性が最適となる」状態は、再生特性がピンポイントである値となる状態（例えば、最も大きくなる状態、最も小さくなる状態、或いは特定の値となる状態等）を示していた。しかしながら、「再生特性が良好となる」状態よりも厳しい状態（例えば、再生特性が、規格により定められる許容範囲を更に限定した範囲内に収まる状態等）を、「再生特性が最適となる」状態として扱ってもよい。即ち、「再生特性が最適となる」状態は、必ずしも再生特性が特定の値をピンポイントで示している状態である必要はなく、「再生特性が良好となる」状態よりもより厳しい状態であれば、ある一定の範囲に再生特性が収まる状態をも含むこともできる。【０１８５】
また、本実施例においては、特に重要視する再生特性は一つであるが、当然に二つ以上の再生特性を特に重要視するように構成してもよい。この場合、該二つ以上の再生特性の双方が最適となるレーザパワーを、実際のデータの記録を行う際のレーザパワーとして決定することが好ましい。しかしながら、二つ以上の再生特性の双方が最適となるレーザパワーが存在しない場合が十分に考えられるため、二つ以上の再生特性の夫々が相応に最適な状態（例えば、二つ以上の再生特性の夫々が最適となる状態に近い状態）を実現するレーザパワーを、実際のデータの記録を行う際のレーザパワーとして決定してもよい。或いは、第２動作例において説明するように、二つ以上の再生特性の夫々に優先順位をつけて、優先順位の高い再生特性から順に重要視するように構成してもよい。要は、そのときの記録状態等に応じて、複数の再生特性のうち特に重要視する一又は複数の再生特性を選択し、該選択された特に重要視する一又は複数の再生特性が最適となる或いは相応に最適となるレーザパワーを、実際のデータの記録を行う際のレーザパワーとして決定すれば、該動作は本発明の範囲に含まれるものである。【０１８６】
また、複数の再生特性のうちいずれの再生特性を特に重要視するかを、ユーザが選択できるように構成してもよい。もちろん、ＣＰＵ５５０の制御の下に、ユーザの指示を介することなく自動的に選択されるように構成してもよい。【０１８７】
更に、図６から図９に示すような相関情報は、本発明における「格納手段」の一具体例たるメモリ５６０に記録するように構成してもよいし、或いは光ディスク１００の所定の記録領域に記録するように構成してもよい。また、図４のステップＳ１０５において決定されたレーザパワーも、メモリ５６０に格納されるように構成してもよいし、或いは光ディスク１００の所定の記録領域に記録するように構成してもよい。【０１８８】
（２）第２動作例
続いて、図１２及び図１３を参照して、本実施例に係る情報記録装置１の第２動作例について説明する。ここに、図１２は、本実施例に係る情報記録装置１の第２動作例の流れを概念的に示すフローチャートであり、図１３は、本実施例に係る情報記録装置１の第２動作例において用いられる優先順位を示す表である。尚、上述の第１動作例と同一の処理に対しては同一のステップ番号を付してその詳細な説明を省略する。【０１８９】
図１２に示すように、光ディスク１００が情報記録装置１にローディングされ（ステップＳ１０１）、ＯＰＣ処理が実行され（ステップＳ１０２）、レーザパワーと複数の再生特性との相関関係を示す相関情報が作成される（ステップＳ１０３）。【０１９０】
このとき、本発明の「付与手段」の一具体例を構成するＣＰＵ５５０の制御の下に、複数の再生特性の夫々に対して優先順位を設定する。優先順位の設定は、上述の第１実施例において説明した「特に重要視する再生特性を選択する」動作と同様の態様で行われる。【０１９１】
例えば、複数の情報再生装置（プレーヤ）における再生互換性を確保することを重視する場合には、図１３（ａ）に示すように、ＲＦエラーレート値を優先順位“１”に設定し、ジッタ値を優先順位“２”に設定し、アシンメトリ値を優先順位“３”に設定する。【０１９２】
アドレス制御にＬＰＰが用いられている場合のデータの追記性を確保することを重視する場合には、図１３（ｂ）に示すように、ＡＲ特性を優先順位“１”に設定し、ＲＦエラーレート値を優先順位“２”に設定し、アシンメトリ値を優先順位“３”に設定する。【０１９３】
アドレス制御にウォブル変調が用いられているデータの追記性を確保することを重視する場合には、ウォブル信号のレベル値（即ち、ウォブル（Ｃ／Ｎ））を優先順位“１”に設定し、ＲＦエラーレート値を優先順位“２”に設定し、アシンメトリ値を優先順位“３”に設定する。【０１９４】
続いて、変数“ｔ”を“１”に初期化した後（ステップＳ２０１）、ＣＰＵ５５０の制御の下に、変数“ｔ”が、ステップＳ１０３において取得された再生特性の数“ｎ”以下であるか否かが判定される（ステップＳ２０２）。【０１９５】
ステップＳ２０２の判定の結果、変数“ｔ”が、再生特性の数“ｎ”以下であると判定された場合（ステップＳ２０２：Ｙｅｓ）、ＣＰＵ５５０の制御の下に、優先順位が“ｔ”に設定されている再生特性が良好となるレーザパワーが存在するか否かが判定される（ステップＳ２０３）。【０１９６】
ステップＳ２０３の判定の結果、優先順位が“ｔ”に設定されている再生特性が良好となるレーザパワーが存在しないと判定された場合（ステップＳ２０３：Ｎｏ）、続いて、記録条件を変更することができるか否かが判定される（ステップＳ１０７）。【０１９７】
ステップＳ１０７の判定の結果、記録条件を変更することができると判定された場合（ステップＳ１０７：Ｙｅｓ）、記録条件が変更される（ステップＳ１０８）。ここでは、優先順位が“ｔ”に設定されている再生特性が良好となるように記録条件が変更される。その後、再度ステップＳ１０２からの処理を継続する。【０１９８】
他方、ステップＳ１０７の判定の結果、記録条件を変更することができないと判定された場合（ステップＳ１０７：Ｎｏ）、データの記録動作が中止される（ステップＳ１０９）。【０１９９】
他方、ステップＳ２０３の判定の結果、優先順位が“ｔ”に設定されている再生特性が良好となるレーザパワーが存在すると判定された場合（ステップＳ２０３：Ｙｅｓ）、続いて、ＣＰＵ５５０の制御の下に、優先順位が“ｔ”に設定されている再生特性が最適となるレーザパワーにおいて、優先順位が“ｔ”以外に設定されている再生特性が良好となるか否かが判定される（ステップＳ２０４）。【０２００】
ステップＳ２０４の判定の結果、優先順位が“ｔ”に設定されている再生特性が最適となるレーザパワーにおいて、優先順位が“ｔ”以外に設定されている再生特性が良好となると判定された場合（ステップＳ２０４：Ｙｅｓ）、そのレーザパワーが、実際のデータの記録を行う際のレーザパワーとして決定される（ステップＳ２０５）。その後、データの記録が行われる（ステップＳ１０６）。【０２０１】
他方、ステップＳ２０４の判定の結果、優先順位が“ｔ”に設定されている再生特性が最適となるレーザパワーにおいて、優先順位が“ｔ”以外に設定されている再生特性が良好とならないと判定された場合（ステップＳ２０４：Ｎｏ）、変数“ｔ”をインクリメントした後（ステップＳ２０６）、再度ステップＳ２０２からの処理を継続する。つまり、次に優先される再生特性に着目して、ステップＳ２０２からの処理を継続する。【０２０２】
他方、ステップＳ２０２の判定の結果、変数“ｔ”が、再生特性の数“ｎ”以下でないと判定された場合（ステップＳ２０２：Ｎｏ）、続いて記録条件が変更することができるか否かが判定される（ステップＳ１０７）。【０２０３】
このように、第２動作例によれば、優先順位が高い再生特性に着目し、該着目された再生特性が最適となり、且つ該着目された再生特性以外の再生特性が良好となるレーザパワーが、実際のデータの記録の際のレーザパワーとして決定される。そして、着目された再生特性が良好でない場合や、或いは着目された再生特性が最適となりつつも、該着目された再生特性以外の再生特性が良好とならない場合には、着目された再生特性の次の優先順位が設定されている再生特性に着目し、同様の処理を繰り返す。言い換えれば、第１動作例における「特に重要視するべき再生特性」を、複数の再生特性の中から、設定される優先順位に従って順次選択する処理が、第２動作例では実行されている。従って、第２動作例によれば、特に重要視すべき再生特性を適宜変更しながらレーザパワーを決定することができる。この場合であっても、優先順位は、記録状態に応じて設定されるため、決定されたレーザパワーにてレーザ光ＬＢを照射すれば、記録されるデータの再生特性をより向上させることが可能となる。【０２０４】
上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０２０５】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、並びに、記録制御用のコンピュータプログラムもまた本発明の技術的範囲に含まれるものである。
【産業上の利用可能性】
【０２０６】
本発明に係る情報記録装置及び方法、並びにコンピュータプログラムは、例えば、ＤＶＤレコーダ等の情報記録装置等に利用可能である。また、例えば民生用或いは業務用の各種コンピュータ機器に搭載される又は各種コンピュータ機器に接続可能な情報記録装置等にも利用可能である。
【図１】
0004502144.tif 000002
【図２】
0004502144.tif 000003
【図３】
0004502144.tif 000004
【図４】
0004502144.tif 000005
【図５】
0004502144.tif 000006
【図６】
0004502144.tif 000007
【図７】
0004502144.tif 000008
【図８】
0004502144.tif 000009
【図９】
0004502144.tif 000010
【図１０】
0004502144.tif 000011
【図１１】
0004502144.tif 000012
【図１２】
0004502144.tif 000013
【図１３】
0004502144.tif 000014